(57)【特許請求の範囲】
【請求項１】
両端部に形成された結合孔と、前記結合孔の深さ方向および筒体の長手方向に略直交する方向の前記結合孔に隣接した箇所に形成される第１挿入孔と、前記結合孔の深さ方向および筒体の長手方向に略直交する方向に形成されると共に、前記第１挿入孔と異なる角度で前記結合孔に隣接した箇所に形成される第２挿入孔とを有する筒体と；
一端側は前記筒体の結合孔に貫設されるインサート部を有し、他端は地面に載置される前脚杆と；
前記前脚杆のインサート部に結合され、前記筒体を中心に前記前脚杆と対向して配置される背凭れ杆と；
一端はインサート部を通じて前記筒体の第１挿入孔に貫設され、他端は前記前脚杆と所定の角度で地面に載置される後脚杆と；
インサート部を通じて前記筒体の第２挿入孔に貫設され、前記筒体を中心に後脚杆と所定の角度で対向して配置される座支持杆と；
一端部は前記第２挿入孔に挿入された座支持杆の先端に固定され、他端部は前記結合孔に挿入された背凭れ杆の先端に固定されるシートと；を含むことを特徴とするレジャー用折畳み式椅子。
【請求項２】
前記背凭れ杆は、シートを通じて背凭れ杆に伝達される着座者の荷重を吸収するために、前記筒体の結合孔に隣接した箇所に所定の角度で折り曲げられて形成される折曲げ部をさらに備えることを特徴とする、請求項１に記載のレジャー用折畳み式椅子。
【請求項３】
前記シートは、着座者が前記シートの座部に着座する時、両側の背凭れ杆が互いに引っ張られてシートの上部が折られることを防止するために、前記背凭れ杆の先端に隣接した端部に内蔵されるヘッドレストをさらに備えることを特徴とする、請求項１または２に記載のレジャー用折畳み式椅子。
【請求項４】
前記背凭れ杆と前記前脚杆とは、筒体の結合孔を挿通される弾性部材により互いに連結され、
後脚杆と前記座支持杆とは、筒体の第１挿入孔と第２挿入孔とを順に貫設する弾性部材により互いに連結されることを特徴とする、請求項１〜３のいずれか１項に記載のレジャー用折畳み式椅子。
【請求項５】
前記筒体の第１挿入孔に挿設された状態で、弾性部材により前記後脚杆のインサート部と連結される第１固定キャップと、
前記筒体の第２挿入孔に挿設された状態で弾性部材により前記座支持杆のインサート部と連結される第２固定キャップとをさらに含むことを特徴とする、請求項１〜３のいずれか１項に記載のレジャー用折畳み式椅子。
【発明の詳細な説明】
【技術分野】
【０００１】
本発明はレジャー用折畳み式椅子に関する。
【背景技術】
【０００２】
従来技術のレジャー用椅子としては、本出願人が出願して登録された特許文献１の「携帯用椅子」がある。
【０００３】
特許文献１に開示された携帯用椅子は、椅子の左右両側にそれぞれ設けられるハブと、左右両側のハブを連結する中央支持フレームと、基端部がそれぞれのハブの下方前後の外周面に分離可能に結合され、自由端部は地面に向けて放射状に延びる形態で配置される前後脚フレームと、基端部がそれぞれのハブの上方前後の外周面に分離可能に結合され、自由端部が上方に向けて放射状に延びる形態で配置される前後ポールフレームと、前後ポールフレームの自由端部に結合される織布シートとを含んでなる。前後脚フレームの長さは前ポールフレーム及び後ポールフレームより短く、前ポールフレーム及び後ポールフレームのうち、少なくとも一つのフレームは二つ以上の単位ポールフレームが軸方向に連結された形態で構成されている。
【０００４】
しかし、特許文献１に開示された携帯用椅子の場合、支持フレームの両側にハブを備えており、ハブに形成された複数の孔に前後ポールフレームと前後脚フレームとが結合されるため、部品点数が増加する。
【０００５】
このように、特許文献１に開示された携帯用椅子は、部品点数が増加するため、加工工数の増加による資源の浪費とコストの上昇を招く。また、特許文献１に開示された携帯用椅子は、部品点数の増加により、レジャー用椅子に必要不可欠な軽量化を達成することが難しい。
【０００６】
また、特許文献１に開示された携帯用椅子において、両側ハブに結合された後ポールフレームは、二つのフレームを一直線状に結合して構成される。したがって、シートの座部に着座した着座者がシートの背凭れ部に背をもたれると、荷重が後ポールフレーム方向に偏ることから、後ろに倒れることがたびたび発生するため、使用時には安全に気を付かわなければならないなどの問題がある。
【０００７】
そして、特許文献１に開示された携帯用椅子は、着座者がシートの座部に着座した後、シートの背凭れ部に背をもたれると、両側のハブに結合された後ポールフレームが互いに引っ張られてシートの上部が折れるため、頭を安定的に支持することができない問題がある。
【先行技術文献】
【特許文献】
【０００８】
【特許文献１】韓国特許登録第１０-１１７６７４０号公報
【発明の概要】
【発明が解決しようとする課題】
【０００９】
そこで、本発明は、上記問題に鑑みてなされたものであり、本発明の目的とするところは、野外で迅速且つ容易な椅子の設置及び撤去できるレジャー用折畳み式椅子を提供することにある。
【００１０】
また、本発明の目的とするところは、より簡単な構成の椅子を実現でき、資源の節約及び椅子の軽量化が可能であり、故障の恐れがないレジャー用折畳み式椅子を提供することにある。
【００１１】
さらに、本発明の目的とするところは、頭を支持する機能を提供すると共に、椅子を安定した状態で使用することができるレジャー用折畳み式椅子を提供することにある。
【課題を解決するための手段】
【００１２】
前述した目的を達成するために、本発明のレジャー用折畳み式椅子は、両端部に形成された結合孔と、結合孔と略直交する方向にそれに隣接した箇所に形成される第１挿入孔と、結合孔と略直交する方向に形成されると共に、第１挿入孔と異なる角度でそれに隣接した箇所に形成される第２挿入孔とを有する筒体と；一端はインサート部を通じて筒体の結合孔に貫設され、他端は地面に載置される前脚杆と；前脚杆のインサート部に結合され、筒体を中心に前脚杆と対向して配置される背凭れ杆と；一端側は前記筒体の結合孔に貫設されるインサート部を有し、他端は前脚杆と所定の角度で地面に載置される後脚杆と；インサート部を通じて筒体の第２挿入孔に貫設され、筒体を中心に後脚杆と所定の角度で対向して配置される座支持杆と；一端部は第２挿入孔に挿入された座支持杆の先端に固定され、他端部は結合孔に挿入された背凭れ杆の先端に固定されるシートと；を含む。
【００１３】
ここで、背凭れ杆は、シートを通じて背凭れ杆に伝達される着座者の荷重を吸収するために、筒体の結合孔に隣接した箇所に所定の角度で折り曲げられて形成される折曲げ部をさらに備えることが好ましい。
【００１４】
また、シートは、着座者がシートの座部に着座する時、両側の背凭れ杆が互いに引っ張られてシートの上部が折られることを防止するために、背凭れ杆の先端に隣接した端部に内蔵されるヘッドレストをさらに備えることが好ましい。
【００１５】
また、背凭れ杆と前脚杆とは、筒体の結合孔を挿通される弾性部材により互いに連結され、後脚杆と座支持杆とは、筒体の第１挿入孔と第２挿入孔を順に貫設する弾性部材により互いに連結されることが好ましい。
【００１６】
さらに、筒体の第１挿入孔に挿設された状態で、弾性部材により後脚杆のインサート部と連結される第１固定キャップと、筒体の第２挿入孔に挿設された状態で弾性部材により座支持杆のインサート部と連結される第２固定キャップをさらに含むことが好ましい。
【発明の効果】
【００１７】
このような構成を有する本発明のレジャー用折畳み式椅子によれば、一つの筒体の両端部に結合孔が形成され、この結合孔と略直交する方向に互いに異なる角度の第１挿入孔及び第２挿入孔が形成され、これらの孔に前脚杆と後脚杆と背凭れ杆と座支持杆とが容易に脱着されるので、野外で迅速且つ容易に椅子を設置及び撤去することが可能である。
【００１８】
また、本発明のレジャー用折畳み式椅子によれば、一つの筒体の両端部に備えられた結合孔と第１挿入孔及と第２挿入孔とがそれぞれ異なる角度で穿孔されているので、別の連結部材が不要である。さらに、本発明のレジャー用折畳み式椅子によれば、部品点数の少ない簡単な構成により資源の節約が可能であり、故障が発生する恐れがなく、椅子の軽量化を図ることができる。
【００１９】
また、本発明のレジャー用折畳み式椅子によれば、筒体両側の結合孔に結合される背凭れ杆に形成された折曲げ部により、着座者の背を弾力的に支持しながらシートを通じて背凭れ杆に伝達される荷重を吸収することができるので、快適で且つリラックスした着座感を与える。
【００２０】
さらに、本発明のレジャー用折畳み式椅子によれば、シートの上段部に内蔵されたヘッドレストにより、着座者がシートの座部に着座する時、両側の背凭れ杆が互いに引っ張られてシート上部が折られることが防止されて椅子を安定した姿勢で使用することができ、頭を支持する機能を提供することができるため、便宜性が向上する。
【図面の簡単な説明】
【００２１】
【図１】本発明の一実施形態に係る折畳み式椅子の骨組み構成を説明するための一部分解斜視図である。
【図２】同実施形態に係る折畳み式椅子の骨組みに結合されるシートを示す斜視図である。
【図３】同実施形態に係る折畳み式椅子に結合されたヘッドレストを示す側面図である。
【図４】本発明の他の実施形態に係る折畳み式椅子の後脚杆を結合した状態を示す一部切欠断面図である。
【図５】同実施形態に係る折畳み式椅子の座支持杆を結合した状態を示す一部切欠断面図である。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
本実施形態に係る折畳み式椅子は、筒体の両端部に所定の角度で形成された結合孔に前脚杆のインサート部が貫設され、このインサート部に背凭れ杆が結合され、筒体の結合孔と隣接した箇所には結合孔と略直交する方向に互いに異なる角度の第１挿入孔及び第２挿入孔が形成され、第１挿入孔には後脚杆のインサート部が貫設され、第２挿入孔には座支持杆のインサート部が貫設されると共に、座支持杆の先端と背凭れ杆の先端にはそれぞれ、シートの両端部を結合して椅子が形成されることによって、前脚杆と後脚杆、そして背凭れ杆と座支持杆を容易に脱着できる。これにより、使用者は、野外で迅速且つ容易に椅子を設置及び撤去できる。また、本実施形態に係る折畳み式椅子は、一つの筒体の両端部に結合孔、第１挿入孔、及び第２挿入孔がそれぞれ異なる角度で形成されることによって、別の連結部材が不要となり、より簡単な構成の椅子を実現でき、資源の節約及び椅子の軽量化が可能であり、故障の恐れがない。さらに、本実施形態に係る折畳み式椅子は、背凭れ杆に形成された折曲げ部により着座者の背を弾力的に支持しながらシートを通じて背凭れ杆に伝達される荷重を吸収することができるので、快適で且つリラックスした着座感を与え、シートの上段部に内蔵されたヘッドレストによりシートの座部に着座時、両側の背凭れ杆が互いに引っ張られてシート上部が折られることを防止できることから、頭を支持する機能を提供すると共に、椅子を安定した状態で使用することができる
【００２４】
図１は本発明の一実施形態に係る折畳み式椅子の骨組み構成を説明するための一部分解斜視図であり、図２は本実施形態に係る折畳み式椅子の骨組みに結合されるシートを示す斜視図であり、図３は本実施形態に係る折畳み式椅子に結合されたヘッドレストを示す側面図である。
【００２５】
図１〜図３に示すように、本発明の一実施形態に係る折畳み式椅子は大略的に、椅子の主要構成部である筒体１０１と、この筒体１０１の前方下部及び後方下部にそれぞれ配置される前脚杆１１１及び後脚杆１３１と、筒体１０１の前方上部及び後方上部にそれぞれ配置される背凭れ杆１２１及び座支持杆１４１と、両端部が背凭れ杆１２１及び座支持杆１４１の先端部に結合される織布シート１５１とからなる。
【００２６】
筒体１０１は、その両端部に形成された結合孔１０２と、結合孔１０２の深さ方向及び筒体１０１の長手方向に略直交する方向の結合孔１０２に近い個所に形成される第１挿入孔１０３と、結合孔１０２と略直交する方向に、且つ第１挿入孔１０３と異なる角度でそれに隣接した個所に形成される第２挿入孔１０４を備える。
【００２７】
前脚杆１１１の一端には筒体１０１の結合孔１０２に挿入されるインサート部１１２が形成される。前脚杆１１１は、組立時において、インサート部１１２が形成された上段の一端側がインサート部１１２を通じて筒体１０１の結合孔１０２に貫設され、前脚杆１１１の下段側の他端が地面に載置されることで筒体１０１を支持する。
【００２８】
背凭れ杆１２１は、下段側の一端が組立時において、筒体１０１を中心に前脚杆１１１と対向して配置され、結合孔１０２に貫設された前脚杆１１１のインサート部１１２に結合される。背凭れ杆１２１は、上段の他端側がシート１５１の下段裏面に設けられた挿入部１５２に挿入される。シート１５１の裏面は、折畳み式椅子が組立られた状態において、着座者が座る表面の反対側の面である。
【００２９】
後脚杆１３１の一端には筒体１０１の第１挿入孔１０３に挿入されるインサート部１３２が形成されている。後脚杆１３１は、組立時において、インサート部１３２が形成された上段側の一端がインサート部１３２を通じて筒体１０１の第１挿入孔１０３に貫設される。後脚杆１３１は、下段側の他端が前脚杆１１１と所定の角度をなして地面に載置されることで筒体１０１を支持する。
【００３０】
座支持杆１４１の一端には筒体１０１の第２挿入孔１０４に挿入されるインサート部１４２が形成される。座支持杆１４１は、組立時において、筒体１０１を中心に後脚杆１３１と所定の角度で対向して配置され、インサート部１４２が形成された下段側の一端がインサート部１４２を通じて筒体１０１の第２挿入孔１０４に貫設され、上段側の他端がシート１５１の下段下面に設けられた挿入部１５２に挿入される。
【００３１】
前述したように、シート１５１は、下段部が第２挿入孔１０４に挿入された座支持杆１４１の先端に固定され、上段部が結合孔１０２に挿入された背凭れ杆１２１の先端に固定されることで、椅子の座部及び背凭れ部を構成する。
【００３２】
背凭れ杆１２１は、筒体１０１の結合孔１０２に隣接した箇所に所定の角度で折り曲げられて形成される折曲げ部１２２をさらに備える。これにより、着座者の背を弾力的に支持しながらシート１５１を通じて背凭れ杆１２１に伝達される荷重を吸収することが可能となる。
【００３３】
シート１５１は、背凭れ杆１２１のシート１５１に挿入された先端に隣接した端部の下面に内蔵されるヘッドレスト１５３をさらに備える。これにより、着座者がシート１５１の座部に着座する時、シート１５１に挿入された両側の背凭れ杆１２１が互いに引っ張られることでシート１５１の上部が折られることを防止できる。
【００３４】
背凭れ杆１２１と前脚杆１１１とは、筒体１０１の結合孔１０２を貫設する弾性部材１６１により互いに連結される。後脚杆１３１と座支持杆１４１とは、筒体１０１の第１挿入孔１０３と第２挿入孔１０４とを順に貫設する弾性部材１６１により互いに連結される。弾性部材１６１は、折畳み式椅子が組立てられた状態において、自然長よりも長くなっており、張力が発生している。
【００３５】
次に、本実施形態に係る本発明の折畳み式椅子の動作について説明する。
【００３６】
本実施形態に係る折畳み式椅子は、図１に示すように、前脚杆１１１と背凭れ杆１２１とが弾性部材１６１により連結された状態で、前脚杆１１１のインサート部１１２が筒体１０１の結合孔１０２に挿入される。また、背凭れ杆１２１の下段側の端部は、結合孔１０２に貫設された前脚杆１１１のインサート部１１２に結合される。
【００３７】
さらに、本実施形態に係る折畳み式椅子は、後脚杆１３１と座支持杆１４１とが弾性部材１６１により連結された状態で、座支持杆１４１のインサート部１４２が筒体１０１の第１挿入孔１０３に挿入されると共に、後脚杆１３１のインサート部１３２が筒体１０１の第２挿入孔１０４に挿入される。
【００３８】
したがって、使用者はこれらの弾性部材１６１により連結された複数の杆を筒体１０１に形成された複数の孔に挿入及び分離する過程を通じて、本実施形態に係る折畳み式椅子を容易に設置及び撤去することが可能である。また、小さいサイズに畳むことができる織布シート１５１を用いることによって、椅子の携帯及び保管が容易となる。
【００３９】
本実施形態に係る折畳み式椅子を野外で使用する場合、まず、折り畳まれた状態の両側の前脚杆１１１が伸ばされ、インサート部１１２が筒体１０１の両端部に所定の角度で形成された結合孔１０２に貫設され、インサート部１１２の上段側の端部が筒体１０１から露出される。
【００４０】
次いで、結合孔１０２から露出された前脚杆１１１のインサート部１１２は、背凭れ杆１２１の下段側の端部と結合される。
【００４１】
さらに、両側の後脚杆１３１のインサート部１３２が結合孔１０２と異なる角度で形成された筒体１０１の第１挿入孔１０３に挿入された後、座支持杆１４１のインサート部１４２が第１挿入孔１０３と異なる角度で形成された筒体１０１の第２挿入孔１０４に挿入される。これらの動作が行われることにより、折畳み式椅子の骨組みが完成する。
【００４２】
前述したように、前脚杆１１１と背凭れ杆１２１とが筒体１０１の結合孔１０２に結合され、後脚杆１３１と座支持杆１４１とが筒体１０１の第１挿入孔１０３と第２挿入孔１０４とにそれぞれ結合される。このとき、これらの杆を互いに連結している内部の弾性部材１６１の弾性力により、弾性部材１６１で結合された杆を互いに引くようになる。これにより、使用時にこれらの杆が抜け出ることが防止される。
【００４３】
前述の過程を通じて折畳み式椅子の骨組みが完成すると、図２に示すように、骨組みをなす座支持杆１４１の先端及び背凭れ杆１２１の先端は、それぞれシート１５１の両端部に結合される。すなわち、座支持杆１４１の先端及び背凭れ杆１２１の先端は、シート１５１の両端部下面に設けられた複数の挿入部１５２に結合されることによって、図３に示すように完全な折畳み式椅子が完成する。
【００４４】
また、本実施形態に係る折畳み式椅子は、一つの筒体１０１の両端部に結合孔１０２と、第１挿入孔１０３及び第２挿入孔１０４とがそれぞれ異なる角度で穿孔され、これらの孔に前脚杆１１１と後脚杆１３１と背凭れ杆１２１と座支持杆１４１とが容易に挿入及び分離される。これにより、使用者は、野外で迅速且つ容易に椅子を設置及び撤去することができる。
【００４５】
さらに、本実施形態に係る折畳み式椅子は、一つの筒体１０１の両端部に結合孔１０２と、第１挿入孔１０３及び第２挿入孔１０４とがそれぞれ異なる角度で穿孔されており、別の連結部材が不要となるため、簡単な構成の椅子が提供される。
【００４６】
また、本実施形態に係る折畳み式椅子は、シート１５１の座部に着座者が着座した状態で、シート１５１の背凭れ部に背をもたれると、着座者の荷重がシート１５１から背凭れ杆１２１に伝達される。この時、背凭れ杆１２１には荷重を吸収しながら、着座者の背を弾力的に支持するための折曲げ部１２２が、折畳み式椅子が組み立てられた状態で着座者が座る方向に所定の角度で折り曲げられているので、快適で且つリラックスした着座感が提供される。
【００４７】
さらに、折畳み式椅子は、シート１５１の座部に着座者が着座すると、シート１５１両側を支持している背凭れ杆１２１が折られる恐れがある。これを防止するために、本実施形態に係る折畳み式椅子では図３に示すように、シート１５１の上段部にヘッドレスト１５３が内蔵される。本実施形態に係る折畳み式椅子は、ヘッドレスト１５３によりシート１５１の上段部が折られることを防止し、着座者に頭を支持する機能を提供して、さらに快適で且つリラックスした着座感を与えることができる。
【００４８】
図４は、本発明の他の実施形態に係る折畳み式椅子の後脚杆１３１が結合された状態を示す一部切欠断面図である。図５は、本実施形態に係る折畳み式椅子の座支持杆１４１が結合された状態を示す一部切欠断面図である。
【００４９】
図１〜図３を参照して説明した実施形態においては、筒体１０１の第１挿入孔１０３に挿入される後脚杆１３１のインサート部１３２と、筒体１０１の第２挿入孔１０４に挿入される座支持杆１４１のインサート部１４２とを弾性部材１６１で連結する構成を例示した。しかし、本実施形態においては、第１固定キャップ１６２が両端部に形成された第１挿入孔１０３に挿入され、第２固定キャップ１６３が筒体１０１の両端部に形成された第２挿入孔１０４に挿入され、第１固定キャップ１６２及び第２固定キャップ１６３が筒体１０１に接着材などで固着される構造が採用される。
【００５０】
筒体１０１の第１挿入孔１０３に挿設される第１固定キャップ１６２は、弾性部材１６１により後脚杆１３１のインサート部１３２と連結される。また、筒体１０１の第２挿入孔１０４に挿設される第２固定キャップ１６３は、弾性部材１６１により座支持杆１４１のインサート部１４２と連結される。
【００５１】
したがって、筒体１０１の両端部に形成された第１挿入孔１０３を貫通して露出する第１固定キャップ１６２弾性部材１６１により後脚杆１３１と連結させ、第２挿入孔１０４を貫通して露出する第２固定キャップ１６３を弾性部材１６１により座支持杆１４１と連結させることによって、これらの杆を容易に脱着することができる。
【産業上の利用可能性】
【００５２】
本発明によれば、一つの筒体の両端部に結合孔が形成され、この結合孔と略直交する方向に互いに異なる角度の第１挿入孔及び第２挿入孔が形成され、これらの孔に前脚杆と後脚杆と背凭れ杆と座支持杆とを容易に脱着することができるので、野外で迅速且つ容易に椅子を設置及び撤去することが可能であるレジャー用折畳み式椅子が提供される。従って、本発明の産業利用性はきわめて高いものといえる。
【００５３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５４】
１０１    筒体
１０２    結合孔
１０３    第１挿入孔
１０４    第２挿入孔
１１１    前脚杆
１１２    インサート部
１２１    背凭れ杆
１２２    折曲げ部
１３１    後脚杆
１３２    インサート部
１４１    座支持杆
１４２    インサート部
１５１    シート
１５２    挿入部
１５３    ヘッドレスト
１６１    弾性部材
１６２    第１固定キャップ
１６３    第２固定キャップ
【要約】
【課題】野外で迅速且つ容易に椅子を設置及び撤去でき、一つの筒体の両端部に結合孔、第１挿入孔、及び第２挿入孔をそれぞれ異なる角度で形成することによって、別の連結部材が不要であり、快適で且つリラックスした着座感を与えることができるレジャー用折畳み式椅子を提供する。
【解決手段】筒体の両端部に所定の角度で形成された結合孔に前脚杆のインサート部が貫設され、結合孔に挿入された前脚杆のインサート部には背凭れ杆が結合され、筒体の結合孔と隣接した箇所には結合孔と略直交する方向に第１挿入孔及び、この第１挿入孔と異なる角度の第２挿入孔１０４が形成され、第１挿入孔には後脚杆のインサート部を貫設され、第２挿入孔には座支持杆のインサート部が貫設され、座支持杆の先端と背凭れ杆の先端にはそれぞれ、シートの両端部が固定される。
【選択図】図１【図１】
0005432407.tif 000002
【図２】
0005432407.tif 000003
【図３】
0005432407.tif 000004
【図４】
0005432407.tif 000005
【図５】
0005432407.tif 000006